(57)【特許請求の範囲】
【請求項１】
フィルムを搬送しながら走査スキャニングを行うフィルムスキャナであって、
前記フィルムに対して光線を照射する光源装置と、前記フィルムを透過した光線を集光する集光レンズと、集光された光線を検出する複数の撮像素子を含む光電変換部と、を有するスキャナユニットと、
前記フィルムを副走査方向に搬送させ、スリット開口部を有するフィルムキャリアと、
を備えており、
前記スキャナユニットと、前記フィルムキャリアと、が着脱可能であり、
前記スキャナユニットにおける前記光源装置と前記集光レンズと前記光電変換部と、前記フィルムキャリアにおける前記スリット開口部とが、所定の精度範囲内に収まるような位置決め構造を、さらに備えている、
フィルムスキャナ。
【請求項２】
前記スキャナユニットと前記フィルムキャリアとは、複数種類の前記フィルムごとに交換される、
請求項１に記載のフィルムスキャナ。
【請求項３】
前記スキャナユニットは、複数種類の前記フィルムに対して共通で利用可能であり、前記フィルムキャリアは、複数種類の前記フィルムごとに交換される、
請求項１に記載のフィルムスキャナ。
【請求項４】
前記スキャナユニットは、前記光源装置および前記光電変換部について温度調整を行う放熱機構を、さらに有している、
請求項１から３のいずれか１項に記載のフィルムスキャナ。
【請求項５】
前記スキャナユニットは、前記光源装置と前記集光レンズと前記光電変換部とが、取り付けられるフレームをさらに有しており、前記フレームは、単一の部材によって形成されている、
請求項１から４のいずれか１項に記載のフィルムスキャナ。
【請求項６】
前記放熱機構は、ヒートシンクブロックを含むように形成されている、
請求項４に記載のフィルムスキャナ。
【発明の詳細な説明】
【技術分野】
【０００１】
本発明は、フィルムを搬送しながら走査スキャニングを行うフィルムスキャナに関する。
【背景技術】
【０００２】
フィルムスキャナは、一般的に、フィルムを搬送する部分（以下、フィルムキャリアと示す）と、フィルムに対して光線を照射する光源装置、フィルムを透過した光線を集光する集光レンズ、光線を検出して画像を取得する光電変換部から構成されるスキャニング部分とを有しており、フィルムを搬送させながらフィルム画像を取得する。
しかし、アドバンストフォトシステム（以後、ＡＰＳと示す）をはじめとして、フィルムの型が多様化したことに対応し、使用するフィルムの型、つまりフィルムの幅によってフィルムキャリアを交換するフィルムスキャナが登場している。
【０００３】
特許文献１では、フィルムキャリアの交換による１３５型フィルムと２４０型フィルムをスキャニングするための方法が開示されている。
【特許文献１】特開２００３−３１９１４６公報（平成１５年１１月７日公開）
【発明の開示】
【発明が解決しようとする課題】
【０００４】
しかしながら、上記従来のフィルムスキャナでは、以下に示すような問題点を有している。
すなわち、このようなフィルムスキャナでは、スキャニングするフィルムの種類を変える場合、本体フレームに取り付けられた光源装置、集光レンズ、光電変換部の交換は困難であった。例えば、光源装置、集光レンズ、光電変換部の交換において、累積公差をできる限り小さくするために部品精度を求められたり、それぞれの位置決めを行うための光軸・あおり等の調整に時間を要していた。
【０００５】
本発明の課題は、スキャニングするフィルムに合わせて光源装置、集光レンズ、光電変換部を交換する場合において、それぞれの部品精度を緩和することができ、位置決め調整の手間を軽減することが可能なフィルムスキャナを提供することにある。
【課題を解決するための手段】
【０００６】
第１の発明に係るフィルムスキャナは、フィルムを搬送しながら走査スキャニングを行うフィルムスキャナであって、スキャナユニットとフィルムキャリアとを備えている。スキャナユニットは、フィルムに対して照射された光線の透過光を検出してフィルム画像を取得する。フィルムキャリアは、フィルムを副走査方向に搬送する。また、スキャナユニットと、フィルムキャリアとが着脱可能である。さらに、スキャナユニットにおける光源装置と集光レンズと光電変換部と、フィルムキャリアにおけるスリット開口部とが、所定の精度範囲内に収まるような位置決め構造を備えている。
【０００７】
ここでは、フィルムスキャナにおいて、フィルムに対して光線を照射する光源装置と、フィルムを透過した光線を集光する集光レンズと、集光された光線を検出する複数の撮像素子を含む光電変換部とを有するスキャナユニットと、スリット開口部を有するフィルムキャリアと、をそれぞれユニット化し、スキャナユニットとフィルムキャリアとが着脱可能である。さらに、スキャナユニットにおいて、光源装置と集光レンズと光電変換部とが所定の精度範囲内に収まるような位置決め構造を備えている。また、スキャナユニットとフィルムキャリアとの装着時にも、スキャナユニットにおける光源装置と集光レンズと光電変換部と、フィルムキャリアにおけるスリット開口部とが所定の精度範囲内に収まるような位置決め構造を備えている。
【０００８】
通常、このようなフィルムスキャナでは、スキャニングするフィルムの種類を変える場合、フィルムキャリアの交換とは違い、本体フレームに取り付けられた光源装置、集光レンズ、光電変換部の交換は困難であった。例えば、光源装置、集光レンズ、光電変換部の交換において、累積公差をできる限り小さくするために部品精度を求められたり、それぞれの位置決めを行うための光軸・あおり等の調整に時間を要していた。
【０００９】
そこで、本発明のフィルムスキャナでは、光源装置、集光レンズ、光電変換部を含むスキャナユニットと、フィルムキャリアと、をそれぞれユニット化し、それぞれが着脱可能である。そして、スキャナユニットにおいて、光源装置と集光レンズと光電変換部とが所定の精度範囲内に収まるような位置決め構造を形成している。また、スキャナユニットとフィルムキャリアの装着時にも、スキャナユニットにおける光源装置と集光レンズと光電変換部と、フィルムキャリアにおけるスリット開口部とが所定の精度範囲内に収まるような位置決め構造を形成している。
【００１０】
これにより、それぞれの部品精度を緩和することができ、コストを抑えることができる。また、光軸、あおり等の調整を行って位置決めをする手間を軽減することができる。
第２の発明に係るフィルムスキャナは、第１の発明に係るフィルムスキャナであって、スキャナユニットとフィルムキャリアとは、複数種類のフィルムごとに交換される。
ここでは、スキャナユニットとフィルムキャリアとが、スキャニングするフィルムの種類に合わせて交換される。
【００１１】
通常、このようなフィルムスキャナでは、交換をする可能性があるフィルムキャリアの中で最も幅の大きなフィルムに対応した光源装置が取り付けられていた。例えば、主に１３５型フィルムしかスキャニングしない現場においても、１２０型フィルムに対応した光源装置を有するフィルムスキャナが使用されていた。しかし、１２０型フィルムよりも小さな幅のフィルムをスキャニングする場合においては、フィルム幅よりも主走査方向における光源装置の長さ（以下、光源幅と示す）の方が広いので、撮像素子で取得される画像にはフィルムを透過しなかった端部も含まれる。そして、この部分を検出画素から取り除くために、エリア登録、つまり、取り込んだ画像から有効画素を抜き出す作業が必要であった。
【００１２】
そこで、本発明のフィルムスキャナでは、スキャナユニットをスキャニングするフィルムの種類に合わせて交換できるようにした。
これにより、フィルムの種類に合わせて交換されたスキャナユニットが有する光源幅はスキャニングするフィルムの幅に対応していることになるので、前記に述べたエリア登録の手間を軽減することができる。
【００１３】
第３の発明に係るフィルムスキャナは、第１の発明に係るフィルムスキャナであって、スキャナユニットは、複数種類のフィルムに対して共通で利用可能であり、フィルムキャリアは、複数種類のフィルムごとに交換される。
ここでは、スキャナユニットは、複数種類のフィルムに対して共通で利用することが可能であり、フィルムキャリアは、スキャニングするフィルムの種類に合わせて交換される。例えば、フィルムの幅が比較的近い１３５型フィルムと２４０型フィルムと１１０型フィルムとで共通で利用できるスキャナユニットと、１２０型フィルムで利用できるスキャナユニットとの２種類を用意する。
【００１４】
ここで、スキャナユニットは、光源や撮像素子がスキャニングするフィルムの種類に対応した幅よりも大きい場合は、そのフィルムに対して共通して利用することができる。
これにより、スキャニングするフィルムの種類に合わせてスキャナユニットを交換することに比べ、コストを抑えることが可能となる。
第４の発明に係るフィルムスキャナは、第１から第３の発明のいずれか１つに係るフィルムスキャナであって、スキャナユニットは、光源装置および光電変換部について温度調整を行う放熱機構を、さらに有している。
【００１５】
ここでは、光源装置と光電変換部について温度調整を行うための放熱機構を有している。
これにより、例えば、光源装置の光源としてＬＥＤ（Light Emitting Diode）を用いた場合において、ＬＥＤで発生する熱を効率よく放熱させることができるため、ＬＥＤの温度変化によって波長がシフトしたり、光量が変化したりすることを抑制することができる。また、光電変換部についても、温度の上昇によるノイズの発生を抑制することができる。
【００１６】
この結果、フィルムスキャナにおいて、高品質な画像を読みとることが可能となる。
第５の発明に係るフィルムスキャナは、第１から第４の発明のいずれか１つに係るフィルムスキャナであって、スキャナユニットが、光源装置と集光レンズと光電変換部とが取り付けられるフレームをさらに有している。さらに、フレームは、単一の部材によって形成されている。
【００１７】
ここでは、スキャナユニットに含まれる光源装置と集光レンズと光電変換部とが、単一の部材により形成されたフレームに取り付けられている。
これにより、複数の部材によって形成されたフレームを有するスキャナユニットに比べ、単一の部材により形成されたフレームを有するスキャナユニットは、部品点数を減らすことが可能である。
【００１８】
この結果、製造原価の増加を抑制することが可能である。
第６の発明に係るフィルムスキャナは、第４の発明に係るフィルムスキャナであって、放熱機構は、ヒートシンクブロックを含むように形成されている。
温度調整を行う放熱機構の具体的な構成としてヒートシンクブロックを含むように形成されている。
【００１９】
これにより、光源装置と光電変換部を一つのヒートシンクブロックによって同時に温度調整することが可能となる。また、光源装置と光電変換部のそれぞれに温度調整を行う放熱機構を設けることと比べ、製造原価の増加を抑制することが可能である。
【発明の効果】
【００２０】
第１の発明に係るフィルムスキャナによれば、光源装置、集光レンズ、光電変換部の部品精度を緩和することができ、コストを抑えることができる。また、光軸、あおり等の調整を行って位置決めをする手間を軽減することが可能となる。
第２の発明に係るフィルムスキャナによれば、エリア登録の手間を軽減することができる。
【００２１】
第３の発明に係るフィルムスキャナによれば、スキャニングするフィルムの種類に合わせてスキャナユニットを交換することに比べ、コストを抑えることが可能となる。
第４の発明に係るフィルムスキャナによれば、フィルムスキャナにおいて、高品質な画像を読みとることが可能となる。
第５の発明に係るフィルムスキャナによれば、製造原価の増加を抑制することが可能である。
【００２２】
第６の発明に係るフィルムスキャナによれば、光源装置と光電変換部を一つのヒートシンクブロックによって同時に温度調整することが可能となる。また、光源装置と光電変換部のそれぞれに温度調整を行う放熱機構を設けることと比べ、製造原価の増加を抑制することが可能である。
【発明を実施するための最良の形態】
【００２３】
本発明の一実施形態に係るフィルムスキャナ１０について、図１（ａ）〜図５を用いて説明すれば以下の通りである。
［フィルムスキャナ１０全体の構成］
本実施形態に係るフィルムスキャナ１０は、図１（ａ）および図１（ｂ）に示すように、写真フィルム（フィルム）Ｆを一定の速度で搬送しながら光線を照射し、透過した光線を検出して画像データを取得するフィルムスキャナである。そして、フィルムスキャナ１０は、フィルムキャリア２０、スキャナユニット３０、制御装置４０を備えている。
【００２４】
フィルムキャリア２０は、写真フィルムＦを一定の速度で副走査方向に搬送させる機能を有する。
スキャナユニット３０は、写真フィルムＦに光線を照射し、フィルムＦを透過した光線を検出する機能を有する。
また、本実施形態のフィルムスキャナ１０では、１３５型フィルムと２４０型フィルムとの利用に応じてそれぞれ交換するフィルムキャリア２０に対して、スキャナユニット３０が共通で使用できるように交換自在に構成されている。
【００２５】
制御装置４０は、図示しないマイクロプロセッサと、大容量のハードディスクや半導体メモリを含む記憶手段と、フィルムスキャナ１０へのアクセスを実現するインタフェースとを備えると共に、フィルムスキャナ１０の全ての制御を実現するプログラムを備えている。このプログラムは、取得した画像データおよび欠陥データを、制御装置４０に備えた半導体メモリやハードディスク等の記憶手段に保存させる処理形態が設定されている。また、必要に応じて、記憶手段に保存した画像データを欠陥データに基づいてその欠陥を除去する補正を行う処理形態も設定されている。
【００２６】
［フィルムキャリア２０の構成］
フィルムキャリア２０は、図２および図４に示すように、写真フィルムＦが光源装置３１と集光レンズ３３との間を搬送されるように配置されており、スキャナユニット３０の上流側の搬送ローラ対２１ａ、下流側の搬送ローラ対２１ｂ、フィルムガイド（図示せず）、開口部２２を有している。
【００２７】
フィルムガイド（図示せず）は、フィルムの種類に対応してそれぞれ設けられ、写真フィルムＦの搬送方向に沿って設置される。本実施形態では、１３５型フィルム、２４０型フィルムのそれぞれのフィルムの種類に対応したフィルムガイドを有するフィルムキャリア２０が用意されている。
搬送ローラ対２１ａ・２１ｂは、駆動機構（図示せず）によって駆動制御されている。そして、この搬送ローラ対２１ａ・２１ｂは、写真フィルムＦを圧接し、副走査方向に搬送を可能とするように支持している。
【００２８】
開口部２２は、光源装置３１から照射された光線を写真フィルムＦに導くために形成されている。
［スキャナユニット３０の構成］
スキャナユニット３０は、図３および図４に示すように、光源装置３１、光電変換部３２、集光レンズ３３、ヒートシンクブロック３５を有しており、光源装置３１と光電変換部３２との間に集光レンズ３３が配置されている。そして、光源装置３１、光電変換部３２、集光レンズ３３はヒートシンクブロック３５に取り付けられている。
【００２９】
光源装置３１は、可視光を形成する３原色及び赤外光を作り出すために、複数の発光ダイオード３１ａ（以下、ＬＥＤと示す）が主走査方向に直線上に配置されている。そして、光源装置３１は、このＬＥＤ３１ａからの光線をフィルムキャリア２０に支持された現像済みの写真フィルムＦに照射する。
スキャナユニット３０は、光源装置３１の光源幅よりも小さな幅の写真フィルムＦであれば、スキャニングすることが可能である。つまり、スキャナユニット３０に含まれる光源装置３１の光源幅が、用意されたフィルムキャリア２０の中で最大のフィルム幅を有するものに合わせて確保されれば、スキャナユニット３０は、フィルムキャリア２０に対して共通で使用することが可能となる。例えば、本実施形態では、１３５型フィルム、２４０型フィルムに対応できるように、１３５型フィルムの幅に合わせた光源幅をもつ光源装置３１を有するスキャナユニット３０を用意した。
【００３０】
集光レンズ３３は、写真フィルムＦを透過した光線を光電変換部３２に導き、写真フィルムＦの主走査方向に沿う方向からの可視光画像を光電変換部３２に含まれるＣＣＤ（Charge Coupled Device）（撮像素子）３２ａに結像させる。また、集光レンズ３３は、前述のように、赤外光画像を光電変換部３２に含まれる赤外光（ＩＲ）用のＣＣＤ３２ａに結像させる。
【００３１】
光電変換部３２は、Ｒ（赤）、Ｇ（緑）、Ｂ（青）の三原色に対応したＣＣＤ３２ａと、赤外光（ＩＲ）を感知するＣＣＤ３２ａとを有している。そして、光電変換部３２は、集光レンズ３３より導かれた写真フィルムＦの可視光画像をＲ（赤）、Ｇ（緑）、Ｂ（青）の三原色に対応のデジタル信号化した画像データとして取得すると同時に、写真フィルムＦのゴミや傷に起因する赤外光画像を欠陥データ（赤外光データ）として取得する。
【００３２】
ヒートシンクブロック３５は、写真フィルムＦの水平方向に配置された下部プレート３５ａと、上部プレート３５ｂ、および、両プレート３５ａと３５ｂとを一体的に連結するように鉛直方向に延びたジョイント部３５ｃから構成される。また、ジョイント部３５ｃの背面には複数の放熱フィン３５ｄが一体形成されている。そして、ヒートシンクブロック３５は、熱伝導率の高い金属であるアルミニウムから形成されている。これにより、ヒートシンクブロック３５は、光源装置３１で発生する熱を下部プレート３５ａからジョイント部３５ｃを伝え、そして、放熱フィン３５ｄから外気に効率的に放熱させることが可能な放熱機構を備えている。
【００３３】
さらに、ヒートシンクブロック３５は、十分な剛性を有するため、光源装置３１と集光レンズ３３と光電変換部３２とを取り付けるフレームとしても機能している。そして、ヒートシンクブロック３５の下部プレート３５ａの上面には、主走査方向に沿ってライン状に並べられた光源装置３１が取り付けられている。また、下部プレート３５ｂの下面には、主走査方向に沿って延びた光電変換部３２が取り付けられている。これにより、スキャナユニット３０では、光源装置３１と集光レンズ３３と光電変換部３２とが、放熱機構としての１つのヒートシンクブロック３５を共有した構成となる。
【００３４】
ヒートシンクブロック３５に光源装置３１と集光レンズ３３と光電変換部３２とを取り付ける際には、それぞれの位置関係について光軸と焦点の面から調整する。
光軸の調整は、光源装置３１と集光レンズ３３と光電変換部３２との水平方向に対する位置関係を図４に示すとおりとする。すなわち、光源装置３１の中心を通過する鉛直方向の線ＳＬに対して、集光レンズ３３、光電変換部３２のそれぞれの中心を合わせるように配置する。
【００３５】
また、焦点の調整は、光電装置３１と集光レンズ３３と光電変換部３２との鉛直方向に対する位置関係を図４に示すとおりとする。すなわち、光源装置３１に含まれるＬＥＤ３１ａの放射する光線が、集光レンズ３３によって光電変換部３２に集光することが可能となるように調整する。
このように、スキャナユニット３０には、光源装置３１と、集光レンズ３３と、光電変換部３２とが、所定の精度範囲内に収まるような位置決め構造が形成されている。
【００３６】
［フィルムキャリア２０とスキャナユニット３０の着脱機構］
フィルムキャリア２０とスキャナユニット３０との着脱機構は、図４および図５に示すように、ボタン３６と、レール２３と、凸部３８とを有する。凸部３８は、レール２３の溝に沿って進入できるように形成されている。
フィルムキャリア２０にスキャナユニット３０を取り付ける際は、スキャナユニット３０のボタン３６を押し下げた状態で、凸部３８をフィルムキャリア２０のレール２３にあわせて押し込む。そして、スキャナユニット３０の突起部（図示せず）が、フィルムキャリア２０の凹部（図示せず）に嵌合すると、スキャナユニット３０とフィルムキャリア２０が固定された状態となる。反対に、フィルムキャリア２０からスキャナユニット３０を取り外す際は、スキャナユニット３０のボタン３６を押し下げて、スキャナユニット３０の突起部とフィルムキャリア２０の凹部の嵌合を解除する。そうすると、スキャナユニット３０は、フィルムキャリア２０からレール２３に沿って引き抜くことが可能となる。
【００３７】
また、１３５型用フィルムキャリア２０ａと、２４０型用フィルムキャリア２０ｂとにおいてレール２３の配置位置や着脱機構は同じであるため、スキャナユニット３０は、上記フィルムキャリア２０ａと２０ｂとに対して、上記と同様な要領で着脱が可能となる。
フィルムキャリア２０とスキャナユニット３０との装着時、つまり両者が、上記で示したような固定された状態にある場合は、フィルムキャリア２０に含まれる光源装置３１と、集光レンズ３３と、光電変換部３２と、スキャナユニット３０に含まれる開口部２２とは、所定の精度範囲内に収まるような位置決め構造が形成されている。
【００３８】
［フィルムスキャナ１０の特徴］
（１）
本実施形態のフィルムスキャナ１０では、フィルムＦに対して光線を照射する光源装置３１と、フィルムＦを透過した光線を集光する集光レンズ３３と、集光された光線を検出する複数の撮像素子３２ａを含む光電変換部３２とを有するスキャナユニット３０と、スリット開口部２２を有するフィルムキャリア２０と、をそれぞれユニット化し、スキャナユニット３０とフィルムキャリア２０とが着脱可能である。さらに、スキャナユニット３０において、光源装置３１と集光レンズ３３と光電変換部３２とが所定の精度範囲内に収まるような位置決め構造を備えている。また、スキャナユニット３０とフィルムキャリア２０との装着時にも、スキャナユニット３０における光源装置３１と集光レンズ３３と光電変換部３２と、フィルムキャリア２０におけるスリット開口部２２とが所定の精度範囲内に収まるような位置決め構造を備えている。
【００３９】
通常、このようなフィルムスキャナでは、スキャニングするフィルムの種類を変える場合、フィルムキャリアの交換とは違い、本体フレームに取り付けられた光源装置、集光レンズ、光電変換部の交換は困難であり、各調整に時間を要していた。
そこで、本実施形態のフィルムスキャナ１０では、フィルムキャリア２０と、光源装置３１、集光レンズ３３、光電変換部３２を含むようにスキャナユニット３０と、をそれぞれユニット化し、それぞれ着脱可能にした。そして、スキャナユニット３０は、光源装置３１と集光レンズ３３と光電変換部３２とが所定の精度範囲内に収まるような位置決め構造を有している。さらに、フィルムキャリア２０とスキャナユニット３０との装着時にも、スキャナユニット３０における光源装置３１と集光レンズ３３と光電変換部３２と、フィルムキャリア２０における開口部２２とが所定の精度範囲内に収まるような位置決め構造を形成できるようにした。
【００４０】
これにより、種類の異なる写真フィルムＦをスキャニングするために光源装置３１と集光レンズ３３と光電変換部３２を交換する場合において、光源装置３１と集光レンズ３３と光電変換部３２の部品精度を緩和することができ、コストを抑えることができる。また、光源装置３１と集光レンズ３３と光電変換部３２と開口部２２との位置決めにおいて、光軸、あおり等の調整をする手間を軽減することができる。
【００４１】
（２）
本実施形態のフィルムスキャナ１０において、フィルムキャリア２０は、スキャニングするフィルムＦの種類に合わせて交換され、スキャナユニット３０は、フィルムＦの幅が比較的近い１３５型フィルムと２４０型フィルムとで共通で利用できる。
これにより、スキャニングするフィルムＦの種類に合わせてスキャナユニット３０を交換することに比べ、コストを抑えることが可能となる。
【００４２】
（３）
本実施形態のフィルムスキャナ１０では、光源装置３１および光電変換部３２について温度調整を行う放熱機構を有している。
これにより、光源装置３１に含まれる３１ａで発生する熱を効率よく放熱させることができるため、ＬＥＤ３１ａの温度変化によって波長がシフトしたり、光量が変化したりすることを抑制することができる。また、光電変換部３２に含まれるＣＣＤ３２ａについても、温度の上昇によるノイズの発生を抑制することができる。
【００４３】
この結果、フィルムスキャナにおいて、高品質な画像を読みとることが可能となる。
（４）
本実施形態のフィルムスキャナ１０では、光源装置３１と集光レンズ３３と光電変換部３２とが取り付けられるフレームとしてのヒートシンク３５をさらに有しており、このヒートシンク３５は、単一の部材によって形成されている。
【００４４】
これにより、複数の部材によって形成されたフレームを有するスキャナユニット３０に比べ、単一の部材により形成されたフレームを有するスキャナユニット３０は、部品点数を減らすことが可能となり、製造原価の増加を抑制することが可能である。
（５）
本実施形態のフィルムスキャナ１０では、温度調整を行う放熱機構の具体的な構成として、ヒートシンクブロック３５を含むように形成されている。
【００４５】
これにより、光源装置３１と光電変換部３２を一つのヒートシンクブロック３５によって同時に温度調整することが可能となる。また、光源装置３１と光電変換部３２のそれぞれに温度調整を行う放熱機構を設けることと比べ、製造原価の増加を抑制することが可能である。
［他の実施形態］
以上、本発明の一実施形態について説明したが、本発明は上記実施形態に限定されるものではなく、発明の要旨を逸脱しない範囲で種々の変更が可能である。
【００４６】
（Ａ）
上記実施形態では、１３５型フィルムと２４０型フィルムに共通して利用することが可能であるスキャナユニット３０を備えた例を挙げて説明した。しかし、本発明はこれに限定されるものではない。
スキャナユニット３０は、スキャニングするフィルムＦの種類に合わせて交換してフィルムキャリア２０と装着してもよい。例えば、２４０型フィルムと、１３５型フィルムと、１２０型フィルムのそれぞれに対応した３種類のスキャナユニット３０を用意し、スキャニングするフィルムＦに合わせて交換しフィルムキャリア２０と装着する。
【００４７】
ここで、フィルムＦをスキャニングする際において、スキャニングするフィルムＦの幅よりもスキャナユニット３０における光源幅の方が広い場合には、撮像素子３２ａで取得される画像にはフィルムＦを透過しなかった端部も含まれる。そして、この端部を検出画素から取り除くために、エリア登録、つまり、取り込んだ画像から有効画素を抜き出す作業が必要となる。
【００４８】
これにより、フィルムＦの種類に合わせて交換されたスキャナユニット３０が有する光源幅は、スキャニングするフィルムＦの幅に対応していることになり、取り込んだ画像から有効画素を抜き出す作業であるエリア登録の手間を軽減することができる。
（Ｂ）
上記実施形態では、１３５型フィルムと２４０型フィルムに対応できるように２種類のフィルムキャリア２０と、その両方に共通して利用することが可能であるスキャナユニット３０を備えた例を挙げて説明した。しかし、本発明はこれに限定されるものではない。
【００４９】
例えば、１３５型フィルムと２４０型フィルムと１２０型フィルム等のそれぞれに対応した３種類以上のフィルムキャリア２０と、１３５型フィルムと２４０型フィルムに共通して使用することが可能なスキャナユニットと、１２０型フィルムで使用することが可能なスキャナユニット等、２種類以上のスキャナユニット３０を用意し、それぞれを組み合わせて使用してもよい。
【００５０】
（Ｃ）
上記実施形態では、光源装置３１にＬＥＤ３１ａを用いた例を挙げて説明した。しかし、本発明はこれに限定されるものではない。
例えば、光源装置３１にハロゲンランプを使用するなど、他の光源を用いてもよい。
（Ｄ）
上記実施形態では、光源装置３１と集光レンズ３３と光電変換部３２とが取り付けられるヒートシンクブロック３５が単一の部材によって形成された例を挙げて説明した。しかし、本発明はこれに限定されるものではない。
【００５１】
例えば、複数の部材によって形成されるヒートシンクブロック３５に対して、光源装置３１と集光レンズ３３と光電変換部３２とが取り付けられてもよい。ただし、ヒートシンクブロック３５の形成におけるコスト面については、部品点数が増えることにより不利となるので、上記実施形態のように単一部材による形成が好ましい。
（Ｅ）
上記実施形態では、放熱機構の具体的な構成としてヒートシンクブロック３５を有する例を挙げて説明した。しかし、本発明はこれに限定されるものではない。
【００５２】
例えば、ＬＥＤ３１ａから発生する熱に対して、空気の自然対流による放熱だけで不十分な場合には、冷却風を供給する電動ファン（図示せず）を使う等、強制的に空冷する方法を用いてもよい。
（Ｆ）
上記実施形態では、ヒートシンクブロック３５がアルミニウムから形成される例を挙げて説明した。しかし、本発明はこれに限定されるものではない。
【００５３】
例えば、銅やステンレス等の熱伝導率の高い金属を用いてもよい。ただし、軽量化の面では、上記実施形態のように、アルミニウムを用いることが好ましい。
【産業上の利用可能性】
【００５４】
本発明のフィルムスキャナは、スキャニングするフィルムに合わせて光源装置、集光レンズ、光電変換部を交換する場合において、それぞれの部品精度を緩和することができ、位置決め調整の手間を軽減する効果を奏することから、種類の異なるフィルムを扱うフィルムスキャナ、写真処理装置に対して広く適用可能である。
【図面の簡単な説明】
【００５５】
【図１】（ａ）、（ｂ）は、本実施形態に係るフィルムスキャナの構成を示す斜視図。
【図２】本発明のフィルムキャリアの斜視図。
【図３】本発明のスキャナユニットの斜視図。
【図４】本発明のスキャナユニットの正面図。
【図５】本発明におけるスキャナユニットの交換イメージを示す図。
【符号の説明】
【００５６】
１０      フィルムスキャナ
２０      フィルムキャリア
２０ａ    １３５型フィルム用フィルムキャリア
２０ｂ    ２４０型フィルム用フィルムキャリア
２１      搬送ローラ対
２１ａ    搬送ローラ対
２１ｂ    搬送ローラ対
２３      レール
２２      開口部
３０      スキャナユニット
３１      光源装置
３１ａ    ＬＥＤ
３２      光電変換部
３２ａ    ＣＣＤ（撮像素子）
３３      集光レンズ
３５      ヒートシンクブロック
３５ａ    下部プレート
３５ｂ    上部プレート
３５ｃ    ジョイント部
３６      ボタン
４０      制御装置
Ｆ        写真フィルム（フィルム）
【図１】
0004525483.tif 000002
【図２】
0004525483.tif 000003
【図３】
0004525483.tif 000004
【図４】
0004525483.tif 000005
【図５】
0004525483.tif 000006